(57)【特許請求の範囲】
【請求項１】
少なくとも１層のカーカス層を有し、タイヤ径方向内側からタイヤ径方向外側へ向けて少なくとも内側ベルト層、外側ベルト層、トレッド部が設けられる空気入りタイヤであって、
タイヤ赤道線に対して０〜５度で螺旋状に巻かれる周方向コードが埋設されるスパイラルベルト層をさらに備え、
前記内側ベルト層は、前記タイヤ赤道線に対して４５〜８０度で傾斜する内側スチールコードが埋設され、
前記外側ベルト層は、前記タイヤ赤道線に対して４５〜８０度で傾斜するとともに、前記タイヤ赤道線に対して前記内側スチールコードと逆向きに配置される外側スチールコードが埋設され、
前記内側ベルト層と前記外側ベルト層とがタイヤ径方向で重なり合っている交差層のトレッド幅方向における幅であるベルト交差幅（ＩＷ）は、路面に接地する前記トレッド部の前記トレッド幅方向における幅であるトレッド接地幅（ＴＷ）に対して８０〜１１０％であり、
トレッドショルダー部（Ｓ）における前記スパイラルベルト層から前記トレッド部の表面までの平均厚さである端部平均厚さ（ＨＳ）は、トレッドセンター部（Ｃ）における前記スパイラルベルト層から前記トレッド部の表面までの平均厚さである中央平均厚さ（ＨＣ）に対して５０〜９０％であり、
最もタイヤ径方向外側に位置する前記外側ベルト層又は前記スパイラルベルト層のタイヤ径方向外側に配置され、前記タイヤ赤道線に対して６０〜９０度で傾斜する最外ベルトコードが埋設される最外ベルト層をさらに備え、
前記最外ベルト層のトレッド幅方向における幅である最外ベルト幅（ＯＷ）は、前記トレッド接地幅（ＴＷ）に対して３０〜８０％である
ことを特徴とする空気入りタイヤ。
【請求項２】
トレッドミドル部（Ｍ）における前記スパイラルベルト層から前記トレッド部の表面までの平均厚さである中間平均厚さ（ＨＭ）は、前記中央平均厚さ（ＨＣ）以下であり、かつ、前記端部平均厚さ（ＨＳ）よりも厚いことを特徴とする請求項１に記載の空気入りタイヤ。
【請求項３】
トレッド幅方向断面において、前記タイヤ赤道線を中心にして前記トレッド接地幅（ＴＷ）に対する７０％の領域である７０％領域（ＺＷ）でのトレッド外輪郭の曲率半径（ＲＴ）は、７００〜３０００ｍｍであることを特徴とする請求項１又は請求項２に記載の空気入りタイヤ。
【請求項４】
前記７０％領域（ＺＷ）において、トレッド幅方向における幅が広い前記内側ベルト層又は前記外側ベルト層のベルト外輪郭の曲率半径（ＲＢ）は、１５００ｍｍ以上であり、かつ、前記トレッド外輪郭の曲率半径（ＲＴ）よりも大きいことを特徴とする請求項３に記載の空気入りタイヤ。
【請求項５】
前記７０％領域（ＺＷ）において、前記ベルト外輪郭の曲率半径（ＲＢ）は、前記トレッド外輪郭の曲率半径（ＲＴ）に対して１５０％よりも大きいことを特徴とする請求項４に記載の空気入りタイヤ。
【請求項６】
前記周方向コードは、芳香族ポリアミドであることを特徴とする請求項１乃至請求項５のいずれか１項に記載の空気入りタイヤ。
【請求項７】
前記周方向コードは、スチール単線を撚ったスチールコードであることを特徴とする請求項１乃至請求項５のいずれか１項に記載の空気入りタイヤ。
【請求項８】
前記スチールコードにおける破断伸度は、３〜８％であることを特徴とする請求項７に記載の空気入りタイヤ。
【発明の詳細な説明】
【技術分野】
【０００１】
本発明は、空気入りタイヤに関し、特に、少なくとも１層のカーカス層を有し、タイヤ径方向内側からタイヤ径方向外側へ向けて少なくとも内側ベルト層、外側ベルト層、トレッド部が設けられる空気入りタイヤに関する。
【背景技術】
【０００２】
従来から、車両の高速走行時（いわゆる、高速回転時）に大きな遠心力が加わってトレッド部がタイヤ径方向外側へ向けて膨張することを抑制する空気入りタイヤについて、様々な提案がなされている。
【０００３】
例えば、互いに交差するスチールコードが埋設される２層のベルト層と、該ベルト層のタイヤ径方向外側にタイヤ赤道線と略平行で螺旋状に巻かれる周方向コードが埋設されるスパイラルベルト層とを備える空気入りタイヤが開示されている（例えば、特許文献１参照）。
【０００４】
この周方向コードには、ナイロン繊維や芳香族ポリアミド（いわゆる、ケブラー）、スチール等が用いられる。中でも、芳香族ポリアミドやスチールは、高速走行時に高温となっても伸張しずらいため、高速回転時においてトレッド部がタイヤ径方向外側へ向けて膨張すること抑制することができる。特に、近年においては、芳香族ポリアミドは、スチールに比べて軽量であることに伴い、タイヤ重量が小さくさせることにより操縦安定性を向上させることが可能であるため、注目されている。
【特許文献１】特開２００６−１９３０３２号公報（第２頁−第３頁、第１図−第２図）
【発明の開示】
【発明が解決しようとする課題】
【０００５】
しかしながら、上述した従来の空気入りタイヤでは、トレッド部がタイヤ径方向外側へ向けて膨張することを抑制することができるものの、２層のベルト層によりトレッド幅方向に伸張しずらく、かつ、スパイラルベルト層によりタイヤ周方向に伸張しずらくなってしまうため、トレッド部が硬くなりすぎて操縦安定性が低下してしまうという問題があった。
【０００６】
また、従来の空気入りタイヤでは、２重曲率（球面）を持つトレッド部が平面である路面に接地するときに、ベルト層がトレッド幅方向及びタイヤ周方向に伸び縮み変形するが、スパイラルベルト層が設けられていることにより、ベルト層のタイヤ周方向への伸び縮み変形が抑制されてしまい、特に、スパイラルベルト層と重なり合っているベルト層の端部において変形のズレが生じてしまう。これが歪みとなって、ベルト層とスパイラルベルト層との間に介在するゴム材が変形して、ベルト層の端部とスパイラルベルト層との間で亀裂が発生してしまうという問題もあった。
【０００７】
そこで、本発明は、上述の問題を鑑みてなされたものであり、亀裂の発生を抑制するとともに、操縦安定性を向上させ、かつ、耐摩耗性をも向上させることができる空気入りタイヤを提供することを目的とする。
【課題を解決するための手段】
【０００８】
上述した課題を解決するため、本発明は、次のような特徴を有している。まず、本発明の第１の特徴に係る発明は、少なくとも１層のカーカス層を有し、タイヤ径方向内側からタイヤ径方向外側へ向けて少なくとも内側ベルト層、外側ベルト層、トレッド部が設けられる空気入りタイヤであって、タイヤ赤道線に対して０〜５度で螺旋状に巻かれる周方向コードが埋設されるスパイラルベルト層をさらに備え、内側ベルト層は、タイヤ赤道線に対して４５〜８０度で傾斜する内側スチールコードが埋設され、外側ベルト層は、タイヤ赤道線に対して４５〜８０度で傾斜するとともに、タイヤ赤道線に対して内側スチールコードと逆向きに配置される外側スチールコードが埋設され、内側ベルト層と外側ベルト層とがタイヤ径方向で重なり合っている交差層のトレッド幅方向における幅であるベルト交差幅（ＩＷ）は、路面に接地するトレッド部のトレッド幅方向における幅であるトレッド接地幅（ＴＷ）に対して８０〜１１０％であり、トレッドショルダー部（Ｓ）におけるスパイラルベルト層からトレッド部の表面までの平均厚さである端部平均厚さ（ＨＳ）は、トレッドセンター部（Ｃ）におけるスパイラルベルト層からトレッド部の表面までの平均厚さである中央平均厚さ（ＨＣ）に対して５０〜９０％であり、タイヤ径方向における最も外側に位置する外側ベルト層又はスパイラルベルト層のタイヤ径方向外側に配置され、タイヤ赤道線に対して６０〜９０度で傾斜する最外ベルトコードが埋設される最外ベルト層をさらに備え、最外ベルト層のトレッド幅方向における幅である最外ベルト幅（ＯＷ）は、トレッド接地幅（ＴＷ）に対して３０〜８０％であることを要旨とする。
【０００９】
なお、トレッド接地幅（ＴＷ）とは、正規リムに装着された状態で、正規内圧が充填され、かつ、正規荷重が負荷された際に、路面に接地するトレッド部のトレッド幅方向の幅を示す。ここで、上記「正規リム」とは、タイヤが基づいている規格を含む規格体系において、当該規格がタイヤ毎に定めるリムであり、例えばＪＡＴＭＡであれば標準リム、ＴＲＡであれば "Design Rim" 、或いはＥＴＲＴＯであれば "Measuring Rim" を意味する。また、上記「正規内圧」とは、上記規格がタイヤ毎に定めている空気圧であり、ＪＡＴＭＡであれば最高空気圧、ＴＲＡであれば表 "TIRE LOAD LIMITS AT VARIOUS COLD INFLATION PRESSURES" に記載の最大値、ＥＴＲＴＯであれば "INFLATION PRESSURE" である。また、上記「正規荷重」とは、上記規格がタイヤ毎に定めている荷重であり、ＪＡＴＭＡであれば最大負荷能力、ＴＲＡであれば表 "TIRE LOAD LIMITS AT VARIOUS COLD INFLATION PRESSURES" に記載の最大値、ＥＴＲＴＯであれば "LOAD CAPACITY"である。
【００１０】
また、トレッドセンター部（Ｃ）とは、タイヤ赤道線を基準にして前記トレッド接地幅（ＴＷ）に対する２０％の領域を示す。また、トレッドミドル部（Ｍ）とは、トレッドセンター部（Ｃ）の両端部からトレッド幅方向外側へ向けてトレッド接地幅（ＴＷ）に対する２０％の領域を示す。さらに、トレッドショルダー部（Ｓ）とは、トレッドミドル部（Ｍ）の両端部からトレッド幅方向外側へ向けてトレッド接地幅（ＴＷ）に対する２０％の領域を示す。
【００１１】
さらに、平均厚さとは、各領域（トレッドセンター部（Ｃ）やトレッドミドル部（Ｍ）、トレッドショルダー部（Ｓ））がトレッド幅方向に５等分（溝を除く）され、各領域の最もタイヤ径方向外側に位置する骨格部材（例えば、外側ベルト層又はスパイラルベルト層、ベルト端部保護層）からトレッド部の表面までの厚みの平均値を示すものである。
【００１２】
その他の特徴に係る発明は、トレッドミドル部（Ｍ）におけるスパイラルベルト層からトレッド部の表面までの平均厚さである中間平均厚さ（ＨＭ）は、中央平均厚さ（ＨＣ）以下であり、かつ、端部平均厚さ（ＨＳ）よりも厚いことを要旨とする。
【００１３】
その他の特徴に係る発明は、トレッド幅方向断面において、タイヤ赤道線を中心にしてトレッド接地幅（ＴＷ）に対する７０％の領域である７０％領域（ＺＷ）でのトレッド外輪郭の曲率半径（ＲＴ）は、７００〜３０００ｍｍであることを要旨とする。
【００１４】
なお、トレッド外輪郭の曲率半径（ＲＴ）とは、正規リムに装着された状態で、正規内圧が充填された際のトレッド部の表面における曲率半径を示す。
【００１５】
その他の特徴に係る発明は、７０％領域（ＺＷ）において、トレッド幅方向における幅が広い内側ベルト層又は外側ベルト層のベルト外輪郭の曲率半径（ＲＢ）は、１５００ｍｍ以上であり、かつ、トレッド外輪郭の曲率半径（ＲＴ）よりも大きいことを要旨とする。
【００１６】
なお、ベルト外輪郭の曲率半径（ＲＢ）とは、正規リムに装着された状態で、正規内圧が充填された際の内側ベルト層又は外側ベルト層の曲率半径を示す。
【００１７】
その他の特徴に係る発明は、７０％領域（ＺＷ）において、ベルト外輪郭の曲率半径（ＲＢ）は、トレッド外輪郭の曲率半径（ＲＴ）に対して１５０％よりも大きいことを要旨とする。
【００１８】
その他の特徴に係る発明は、周方向コードは、芳香族ポリアミドであることを要旨とする。
【００１９】
その他の特徴に係る発明は、周方向コードは、スチール単線を撚ったスチールコードであることを要旨とする。
【００２０】
その他の特徴に係る発明は、スチールコードにおける破断伸度（破断歪み）は、３〜８％であることを要旨とする。
【発明の効果】
【００２２】
本発明によれば、亀裂の発生を抑制するとともに、操縦安定性を向上させ、かつ、耐摩耗性をも向上させることができる空気入りタイヤを提供することができる。
【発明を実施するための最良の形態】
【００２３】
次に、本発明に係る空気入りタイヤの一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれていることは勿論である。
【００２４】
［第１の実施の形態］
まず、第１の実施の形態に係る空気入りタイヤの構成について、図１及び図２を参照しながら説明する。図１は、第１の実施の形態に係る空気入りタイヤを示すトレッド幅方向断面図であり、図２は、第１の実施の形態に係る空気入りタイヤの一部を示す上面斜視図である。
【００２５】
図１及び図２に示すように、空気入りタイヤ１は、ホイールのリム部（不図示）に接触する複数のビードコアを少なくとも含む一対のビード部３と、空気入りタイヤ１の骨格となる少なくとも１層のカーカス層５とを有している。この空気入りタイヤ１には、カーカス層５のタイヤ径方向内側からタイヤ径方向外側へ向けて内側ベルト層７、外側ベルト層９、スパイラルベルト層１１、ベルト端部保護層１３、トレッド部１５が設けられる。
【００２６】
内側ベルト層７は、トレッド部１５を補強するとともに、空気入りタイヤ１の形状を保持するものである。この内側ベルト層７は、図２に示すように、タイヤ赤道線ＣＬに対して４５〜８０度（α）で傾斜する内側スチールコード（以下、内側コード７ａ）が埋設されている。特に、内側コード７ａは、タイヤ赤道線ＣＬに対して６０〜８０度（α）で傾斜することが好ましい。
【００２７】
外側ベルト層９は、内側ベルト層７と同様に、トレッド部１５を補強するとともに、空気入りタイヤ１の形状を保持するものである。この外側ベルト層９は、図２に示すように、タイヤ赤道線ＣＬに対して４５〜８０度（β）で傾斜するとともに、タイヤ赤道線ＣＬに対して内側コード７ａと逆向きに配置される外側スチールコード（以下、外側コード９ａ）が埋設されている。特に、外側コード９ａは、タイヤ赤道線ＣＬに対して６０〜８０度（β）で傾斜することが好ましい。
【００２８】
なお、内側コード７ａ及び外側コード９ａがタイヤ赤道線ＣＬに対して４５度よりも小さいと、各コードがタイヤ周方向へ伸びにくくなってしまい、トレッド部１５が硬くなりすぎて接地面積を十分に確保することができないため、操縦安定性が低下してしまう。また、内側コード７ａ及び外側コード９ａがタイヤ赤道線ＣＬに対して８０度よりも大きいと、トレッド部１５が接地した際の接地面内におけるベルト面内でのせん断剛性（いわゆる、せん断強さ）が不足してしまい、グリップ性能（横グリップ性やトラクショングリップ性等）を向上させることができない。
【００２９】
ここで、図１に示すように、内側ベルト層７と外側ベルト層９とがタイヤ径方向で重なり合っている交差層のトレッド幅方向における幅であるベルト交差幅ＩＷは、路面に接地するトレッド部１５のトレッド幅方向における幅であるトレッド接地幅ＴＷに対して８０〜１１０％である。
【００３０】
なお、ベルト交差幅ＩＷがトレッド接地幅ＴＷに対して８０％よりも小さいと、後述するトレッドショルダー部Ｓの大部分に交差層が存在しなく、内側ベルト層７や外側ベルト層９がトレッド幅方向に縮んだり、タイヤ周方向に動いたりしやすい状態となり、偏摩耗が発生しやすくなってしまう。また、ベルト交差幅ＩＷがトレッド接地幅ＴＷに対して１１０％よりも大きいと、内側ベルト層７端部や外側ベルト層９端部の変形が大きくなり、セパレーション（剥離）が発生しやすくなってしまう。
【００３１】
トレッド幅方向断面におけるタイヤ赤道線ＣＬを中心にしてトレッド接地幅ＴＷに対する７０％の領域である７０％領域ＺＷにおいて、外側ベルト層９よりもトレッド幅方向における幅が広い内側ベルト層７のベルト外輪郭の曲率半径ＲＢは、１５００ｍｍ以上であり、かつ、トレッド外輪郭の曲率半径ＲＴよりも大きいことが好ましい。特に、ベルト外輪郭の曲率半径ＲＢは、２０００ｍｍ以上であることが好ましく、トレッド外輪郭の曲率半径ＲＴに対して１５０％よりも大きいことが好ましい。
【００３２】
なお、ベルト外輪郭の曲率半径ＲＢが１５００ｍｍよりも小さく、かつ、トレッド外輪郭の曲率半径ＲＴよりも小さいと、トレッド部１５が路面に接地した際に、トレッドショルダー部Ｓの接地長が非常に長くなってしまうため、トレッドショルダー部Ｓでのトレッド部１５の接地圧が上がりやすく、アンバランスな接地形状となってしまい、ショルダー摩耗を促進させてしまう。
【００３３】
スパイラルベルト層１１は、車両の高速走行時（いわゆる、高速回転時）に大きな遠心力が加わってトレッド部１５がタイヤ径方向外側へ向けて膨張すること抑制するものである。このスパイラルベルト層１１は、図２に示すように、タイヤ赤道線ＣＬに対して略平行（０〜５度）で螺旋状に巻かれる周方向コード１１ａが埋設されている。
【００３４】
この周方向コード１１ａは、乗用車（トレッド接地幅ＴＷが１８５〜４００ｍｍ）に装着される空気入りタイヤである場合には、芳香族ポリアミド（例えば、ケブラー）であることが好ましい。また、周方向コード１１ａは、トラック・バス等の重荷重車両に装着される場合には、スチール単線を撚ったスチールコードであることが好ましい。特に、スチールコードにおける破断伸度は、初期の伸びに遊びがあり、衝撃吸収性や耐外傷性等を向上させるために、３〜８％であることが好ましい。
【００３５】
ベルト端部保護層１３は、高速走行時（いわゆる、高速回転時）に後述するトレッドショルダー部Ｓが膨張することを抑制するとともに、ベルト層（内側ベルト層７や外側ベルト層９、スパイラルベルト層１１）の端部を補強するものである。このベルト端部保護層１３は、図２に示すように、タイヤ赤道線ＣＬに対して略平行（０〜５度）で螺旋状に巻かれる端部コード１３ａが埋設されている。
【００３６】
トレッド部１５は、トレッドパターンを形成する複数の溝（例えば、リブやブロック）を有するとともに、路面と接するものである。
【００３７】
トレッドショルダー部Ｓにおけるスパイラルベルト層１１からトレッド部１５の表面（いわゆる、トレッド踏面）までの平均厚さである端部平均厚さＨＳは、トレッドセンター部Ｃにおけるスパイラルベルト層１１からトレッド部１５の表面までの平均厚さである中央平均厚さＨＣに対して５０〜９０％である（ＨＣ＞ＨＳ）。
【００３８】
なお、端部平均厚さＨＳが中央平均厚さＨＣに対して５０％よりも小さいと、トレッド幅方向断面におけるトレッド部１５の表面が丸み過ぎてしまい、ベルト層（内側ベルト層７や外側ベルト層９、スパイラルベルト層１１）も丸くなって、ベルト層が硬くなり操縦安定性が低下してしまうとともに、センター摩耗を促進させてしまう。また、端部平均厚さＨＳが中央平均厚さＨＣに対して９０％よりも大きいと、トレッド幅方向断面におけるトレッド部１５の表面に丸みがなくなってしまい、トレッド部１５が路面に接地した際に、トレッドショルダー部Ｓの接地長が非常に長くなってしまうため、トレッドショルダー部Ｓでのトレッド部１５の接地圧が上がりやすく、アンバランスな接地形状となってしまい、ショルダー摩耗を促進させてしまう。
【００３９】
トレッドミドル部Ｍにおけるスパイラルベルト層１１からトレッド部１５の表面までの平均厚さである中間平均厚さＨＭは、中央平均厚さＨＣ以下であり、かつ、端部平均厚さＨＳよりも厚いことが好ましい（ＨＣ≧ＨＭ＞ＨＳ）。
【００４０】
トレッド幅方向断面において、タイヤ赤道線ＣＬを中心にしてトレッド接地幅ＴＷに対する７０％の領域である７０％領域ＺＷでのトレッド外輪郭の曲率半径ＲＴは、７００〜３０００ｍｍであることが好ましい。特に、７０％領域ＺＷでのトレッド外輪郭の曲率半径ＲＴは、１０００〜２７００ｍｍであることが好ましい。
【００４１】
なお、トレッド外輪郭の曲率半径ＲＴが７００ｍｍよりも小さいと、トレッド幅方向断面におけるトレッド部１５の表面が丸み過ぎてしまい、トレッドセンター部Ｃでの接地長が長く、かつ、トレッドショルダー部Ｓでの接地長が短くなってしまうため、センター摩耗を促進させてしまうことがある。また、トレッド外輪郭の曲率半径ＲＴが３０００ｍｍよりも大きいと、トレッド幅方向断面におけるトレッド部１５の表面が直線状に近くなってしまい、トレッド部１５が路面に接地した際に、トレッドショルダー部Ｓの接地長が非常に長くなってしまうため、トレッドショルダー部Ｓでのトレッド部１５の接地圧が上がりやすく、アンバランスな接地形状となってしまい、ショルダー摩耗を促進させてしまう。
【００４２】
（作用・効果）
以下において、上述した空気入りタイヤ１の構成を採用するに至った経緯を作用とともに説明する。空気入りタイヤ１は、タイヤ周方向及びトレッド幅方向に丸い２重の曲率を持っている。すなわち、空気入りタイヤ１のトレッド接地面は、コンタクトレンズのように２重の曲率を持った形状である。これらが平らな面に押し付けると、２重の曲率を持った曲面が平面状に変形しなければならない。
【００４３】
例えば、コンタクトレンズがソフトコンタクトレンズのように柔らかく伸び縮みする部材からできれている場合には、この部材が伸び縮みすることで平らな面に押し付けると平面状に変形する。これは、テニスボールの軟式ボールを平面に押し付けたときに平らになるのと同じである。
【００４４】
一方、コンタクトレンズがハードコンタクトレンズのように硬く伸び縮みしない部材からできている場合には、平らな面に押し付けても十分に撓むことができずに、上記の柔らかい部材と比べて接触面積が極めて小さくなってしまう。
【００４５】
つまり、空気入りタイヤ１に当てはめると、スパイラルベルト層１１を備えていると、タイヤ周方向に伸び縮みしない構成となる。さらに、内側ベルト層７及び外側ベルト層９の２層のベルト層が組み合わされているため、内側コード７ａ及び外側コード９ａの方向にも伸び縮みしずらい。それゆえ、この空気入りタイヤ１は、あらゆる方向に伸び縮みしにくく、上記のハードコンタクトレンズのような状態にある。
【００４６】
このように、骨格部材（カーカス層５や各ベルト層等）にスパイラルベルト層１１が含まれ、これらのコード方向が３方向以上であると、骨格部材は非常に高い剛性を持つこととなる。つまり、骨格部材を２重曲率（球面）で規定してしまうと、極めて撓みにくい空気入りタイヤ１となってしまう。
【００４７】
そこで、解決方法としては、トレッド部１５を２重曲率ではなく、１重曲率で形成することである。これは、ドラム缶の側面（円筒状の側面）のように、トレッド幅方向断面における空気入りタイヤ１を直線状に近づければ、どんなに部材が硬くても１方向に曲がることで接地できることになる。例えば、スチールからなる円筒は、その肉厚が薄くて面外に曲がることができれば、つぶれて楕円状になり平らな面に接触することができる。空気入りタイヤ１に当てはめても、同様のことが言える。
【００４８】
空気入りタイヤ１は、内側ベルト層７及び外側ベルト層９の２層のベルト層に加え、スパイラルベルト層１１を備えていると非常に硬いが、トレッド幅方向断面における内側ベルト層７や外側ベルト層９を直線状に近づけることで、骨格部材が円筒状になり、接地しやすい形状となる。これにより、空気入りタイヤ１の接地形状が大幅に改善される。
【００４９】
また、内側ベルト層７の端部や外側ベルト層９の端部は、路面に接地した際にタイヤ周方向にずれる動きをして、タイヤ周方向に伸びる動きをする。これは、トレッド部１５がトレッドセンター部Ｃからトレッドショルダー部Ｓに向かうに従い、外径が小さくなって径差が設けられていることによる。すなわち、上述した２重曲率をもつのと同意である。
【００５０】
このような径差は、接地時にトレッド部１５（ベルト層やベルト端部保護層１３等も含む）がトレッド幅方向に曲げ変形することで吸収されるわけだが、空気入りタイヤ１はタイヤ周方向にも３６０度丸い形状であるため、このタイヤ周方向についても丸みを吸収しようとして、半径の小さいベルト端部が伸びて平らな面に接触するわけである。
【００５１】
ベルト端部保護層１３は、タイヤ赤道線ＣＬに対して略平行（０〜５度）で螺旋状に巻かれる端部コード１３ａが埋設されているため、タイヤ周方向にほとんど伸びることができない。しかし、上述したように、内側ベルト層７の端部や外側ベルト層９の端部は、タイヤ周方向に伸びようとする。そのため、内側ベルト層７の端部や外側ベルト層９の端部と、スパイラルベルト層１１とが重なり合う部分で周方向にずれる変形が生じる。これが歪みとなって、両者間に介在するゴム材に加わり、亀裂が生じやすくなってしまう。
【００５２】
このような挙動を持つため、トレッド幅方向における骨格部材に径差がつかないように（すなわち、トレッド幅方向断面における内側ベルト層７や外側ベルト層９を直線状に近づけることで）、内側ベルト層７の端部や外側ベルト層９の端部の歪みを下げる意味でも重要である。
【００５３】
以上の観点から、周方向コード１１ａがタイヤ赤道線ＣＬに対して０〜５度であることに加えて、内側コード７ａ及び外側コード９ａがタイヤ赤道線ＣＬに対して４５〜８０度で交差する（すなわち、タイヤ赤道線ＣＬに対して逆向きに配置される）ことによって、該内側コード７ａ及び外側コード９ａがタイヤ赤道線ＣＬに対して大きく傾斜していることで、コード自体は伸びないが、コード同士の間隔が広がってタイヤ周方向に変形しやすく、かつ、コードがトレッド幅方向を折り目とする周方向面における外曲げ剛性が低下して、接地長が伸びて接地面積が増加する。
【００５４】
つまり、内側ベルト層７及び外側ベルト層９にタイヤ周方向に伸びないスパイラルベルト層１１を組み合わせても、骨格部材（カーカス層５や各ベルト層等）は、トレッド幅方向を折り目とする周方向面における外曲げ剛性を必要以上に高くなるおそれがない。
【００５５】
さらに、トレッド幅方向の圧縮力に対する剛性が高くなり、トレッド幅方向のバックリング変形を抑制することができる。この結果、トレッドショルダー部Ｓでの耐摩耗性を向上させ、かつ、亀裂の発生を抑制するとともに、転がり抵抗、グリップ性能を実現して操縦安定性を向上させることができる。特に、内側コード７ａ又は外側コード９ａの少なくとも一方をタイヤ赤道線ＣＬに対して６５〜８０度とすることによって、トレッド幅方向の縮みを最小化することができ、耐摩耗性をさらに向上させることができる。さらに、トレッドショルダー部Ｓでトレッド部の無駄な横せん断を受けることなく、転がり抵抗の低減をもさらに向上させることができる。
【００５６】
上述したベルト層の条件の場合、少なくともベルト交差幅ＩＷがトレッド接地幅ＴＷに対して８０〜１１０％でなくてはならない。乗用車に装着される空気入りタイヤである場合、操縦安定性が求められ、軽量であることが求められるため、２層のベルト層（内側ベルト層７及び外側ベルト層９）であることが好ましい。これにより、トレッド部１５が接地した際の接地面内でせん断剛性（いわゆる、せん断強さ）を高く維持することができる。また、トラック・バス等の重荷重車両に装着される場合、操縦安定性よりも耐久性が求められるため、ベルト層を増やして複数層にすることにより、せん断剛性を高く維持することができるとともに、トレッドショルダー部Ｓでの偏摩耗の発生を抑制することが可能となる。なお、ベルト層は、必ずしも２層である必要はなく、３層以上であってもよい。
【００５７】
また、トレッド幅方向断面におけるトレッド部１５の表面を丸みが帯びた形状で設計した。これは、トレッド部１５が路面に接地する際に、トレッドセンター部Ｃがたわみやすいからである。トレッド部１５の表面に丸みがないと、トレッド部１５が路面に接地した際に、トレッドショルダー部Ｓの接地長が非常に長くなってしまう（すなわち、トレッドセンター部Ｃの接地長が短くなってしまう）ため、トレッドショルダー部Ｓでのトレッド部１５の接地圧が上がりやすく、アンバランスな接地形状となってしまい、ショルダー摩耗を促進させてしまう。このため、端部平均厚さＨＳは、中央平均厚さＨＣに対して５０〜９０％（ＨＣ＞ＨＳ）と設定した。
【００５８】
ここで、高速回転時には、内圧充填に加えて遠心力によりトレッド部１５が膨張しようとする。この膨張は、トレッド部の重さで変化する。そして、トレッドセンター部Ｃとトレッドミドル部Ｍとは、両側にスパイラルベルト層１１が内部にあるトレッド部１５で拘束されている。しかし、トレッドショルダー部Ｓは、トレッド幅方向外側にスパイラルベルト層１１が内部にあるトレッド部１５で拘束されない。これにより、トレッドショルダー部Ｓは、トレッドセンター部Ｃやトレッドミドル部Ｍと比べて膨張しやすい。
【００５９】
つまり、トレッドセンター部Ｃとトレッドショルダー部Ｓとが同じ重さであった場合、空気入りタイヤ１が高速回転した際の遠心膨張がトレッドショルダー部Ｓの方が大きくなり、トレッドショルダー部Ｓの接地長が伸びて、トレッドセンター部Ｃの接地長が短くなることにより、トレッドショルダー部Ｓでのみグリップしようとするため、操縦安定性が悪化するばかりではなく、トレッドショルダー部Ｓでのトレッド部１５で発熱が促進されて、この熱がベルト端部に伝わり亀裂が発生しやすくなる。なお、トレッドセンター部Ｃとトレッドショルダー部Ｓとでほぼ同じ接地長であることが理想的であり、すなわち、操縦安定性が向上する。
【００６０】
そこで、中央平均厚さＨＣ、中間平均厚さＨＭ、端部平均厚さＨＳの順で薄くなること、すなわち、トレッドショルダー部Ｓでのトレッド部１５の重さが軽くなることで、遠心力を小さくすることができ、トレッドショルダー部Ｓで膨張しにくくすることができる。このため、適切な接地形状を保つことができ、操縦安定性を向上させることができるとともに、故障に対しても効果を発揮することが可能となる。
【００６１】
さらに、中央平均厚さＨＣ、中間平均厚さＨＭ、端部平均厚さＨＳの順で薄くなることで、ベルト層（内側ベルト層７や外側ベルト層９、スパイラルベルト層１１）を直線状に近い形状で配置できる上に、トレッド幅方向断面におけるトレッド部１５の表面に滑らかな丸みを形成することができ、適切な接地形状を保つことができるため、耐摩耗性及び操縦安定性を向上させることができる。
【００６２】
また、７０％領域ＺＷでのトレッド外輪郭の曲率半径ＲＴが７００〜３０００ｍｍであることや、ベルト外輪郭の曲率半径ＲＢが１５００ｍｍ以上でありかつトレッド外輪郭の曲率半径ＲＴよりも大きいこと、さらに、ベルト外輪郭の曲率半径ＲＢがトレッド外輪郭の曲率半径ＲＴに対して１５０％よりも大きいことによって、トレッド幅方向断面におけるトレッド部１５の表面に滑らかな丸みを形成することができ、適切な接地形状を保つことができるため、耐摩耗性及び操縦安定性を向上させることができる。
【００６３】
［第２の実施の形態］
次に、第２の実施の形態に係る空気入りタイヤの構成について、図３を参照しながら説明する。なお、上述した第１の実施の形態に係る空気入りタイヤ１と同一部分には同一の符号を付して、相違する部分を主として説明する。図３は、第２の実施の形態に係る空気入りタイヤを示すトレッド幅方向断面図である。
【００６４】
図３に示すように、タイヤ径方向における最も外側に位置するスパイラルベルト層１１のタイヤ径方向外側には、タイヤ赤道線に対して６０〜９０度で傾斜する最外ベルト層１７が配置されている。この最外ベルト層１７のトレッド幅方向における幅である最外ベルト幅ＯＷは、トレッド接地幅ＴＷに対して３０〜８０％である。
【００６５】
この範囲であることによって、中央平均厚さＨＣや中間平均厚さＨＭを維持することができ、端部平均厚さＨＳを厚くすることがない。これにより、骨格部材（カーカス層５や各ベルト層等）の変形を害することなく、スパイラルベルト層１１を保護して、スパイラルベルト層１１が外傷により破断することを防止することができる。また、消費者が誤って完全に摩耗するまで空気入りタイヤ１を使用した場合であっても、スパイラルベルト層１１が露出することなく、最外ベルト層１７が露出することで消費者に異変を感じさせることができ、バーストに至ることをなくことが可能となる。
【００６６】
なお、最外ベルト層１７は、スパイラルベルト層１１のタイヤ径方向外側に配置されているものとして説明したが、これに限定されるものではなく、例えば、スパイラルベルト層１１が内側ベルト層７のタイヤ径方向内側に配置されている場合には、タイヤ径方向における最も外側に位置する外側ベルト層９のタイヤ径方向外側に配置されていてもよい。
【００６７】
［その他の実施形態］
上述したように、本発明の実施形態を通じて本発明の内容を開示したが、この開示の一部をなす論述及び図面は、本発明を限定するものであると理解すべきではない。
【００６８】
具体的には、スパイラルベルト層１１は、外側ベルト層９のタイヤ径方向外側に配置されているものとして説明したが、これに限定されるものではなく、例えば、図４に示すように、内側ベルト層７のタイヤ径方向内側に配置されていてもよい。これにより、スパイラルベルト層１１が外傷により破断することを防止することができる。
【００６９】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【実施例】
【００７０】
次に、本発明の効果をさらに明確にするために、比較例１〜１０、従来例１，２及び本発明が適用された実施例１〜１９に係る空気入りタイヤを用いて行った試験結果について説明する。なお、各空気入りタイヤのサイズは“２４５／４５Ｒ１８（外径６７７ｍｍ、リム幅８．５インチ、リム径１８インチ）”である。
【００７１】
まず、各空気入りタイヤの基本構造について説明する。各空気入りタイヤは、ホイールのリム部（不図示）に接触する複数のビードコアを少なくとも含む一対のビード部と、該一対のビード部間でトロイド状をなす２層のカーカス層とを有し、該カーカス層のタイヤ径方向内側からタイヤ径方向外側へ向けて内側ベルト層、外側ベルト層、スパイラルベルト層、ベルト端部保護層、トレッド部が設けられる。
【００７２】
カーカス層は、タイヤ赤道線ＣＬに対して略直角（約９０度）で交差する直径０．６ｍｍの撚ったナイロンコードが埋設されている。このナイロンコードの打ち込み数は、トレッドセンター部Ｃで５０本／５０ｍｍである。
【００７３】
内側ベルト層は、トレッド幅方向における幅が２４０ｍｍである。この内側ベルト層は、タイヤ赤道線ＣＬに対して７０度で傾斜する直径０．１８ｍｍのスチール単線を３本撚った内側スチールコード（以下、内側コード）が埋設されている。この内側コードの打ち込み数は、５０本／５０ｍｍである。
【００７４】
外側ベルト層は、トレッド幅方向における幅が２３０ｍｍである。この外側ベルト層は、タイヤ赤道線ＣＬに対して７０度で傾斜するとともに、直径０．１８ｍｍのスチール単線を３本撚った内側コードと交差する外側スチールコード（以下、外側コード）が埋設されている。この外側コードの打ち込み数は、５０本／５０ｍｍである。
【００７５】
スパイラルベルト層は、トレッド幅方向における幅が２６０ｍｍである。このスパイラルベルト層は、タイヤ赤道線ＣＬに対して略平行（０〜５度）で螺旋状に巻かれる直径０．７ｍｍの周方向コードが埋設されている。この周方向コードには、芳香族ポリアミド（ケブラー）が用いられる。また、周方向コードの打ち込み数は、５０本／５０ｍｍである。
【００７６】
ベルト端部保護層は、トレッド幅方向における幅が３０ｍｍであり、スパイラルベルト層の両端部におけるタイヤ径方向外側に配置されている。このベルト端部保護層は、タイヤ赤道線ＣＬに対して略平行（０〜５度）で螺旋状に巻かれる直径０．７ｍｍの端部コードが埋設されている。この端部コードには、芳香族ポリアミド（ケブラー）が用いられる。また、端部コードの打ち込み数は、５０本／５０ｍｍである。
【００７７】
トレッド部には、タイヤ赤道線ＣＬに対して略平行な４本の周方向溝が形成されている。この４本の周方向溝のうちトレッドセンター部に位置する２本の周方向溝の幅が９ｍｍであり、トレッドショルダー部に位置する２本の周方向溝の幅が１１ｍｍであり、全ての周方向溝のタイヤ径方向における深さが７ｍｍである。
【００７８】
この各空気入りタイヤの基本構造以外に関するデータと、試験結果（接地形状、操縦安定性、転がり抵抗、乗り心地性、耐摩耗性、耐久性）について、表１を参照しながら説明する。
【表１】
0005184020.tif 000002
【００７９】
なお、比較例１〜７及び実施例１〜１４に係る空気入りタイヤは、上記基本構造である。また、比較例８に係る空気入りタイヤでは、外側ベルト層のトレッド幅方向における幅を１７０ｍｍとした。また、比較例９及び従来例１に係る空気入りタイヤでは、内側コード及び外側コードをタイヤ赤道線ＣＬに対して２５度で設定した。さらに、比較例１０及び従来例２に係る空気入りタイヤでは、内側コード及び外側コードをタイヤ赤道線ＣＬに対して４０度で設定した。
【００８０】
実施例１５に係る空気入りタイヤでは、スパイラルベルト層とトレッド部との間に、トレッド幅方向における幅が１８０ｍｍで最外ベルト層が設けられている。この最外ベルト層は、タイヤ赤道線ＣＬに対して略平行（０〜５度）で螺旋状に巻かれる直径０．７ｍｍの最外コードが埋設されている。この最外コードには、芳香族ポリアミド（ケブラー）が用いられる。また、最外コードの打ち込み数は、５０本／５０ｍｍである。
【００８１】
実施例１６に係る空気入りタイヤでは、スパイラルベルト層に、タイヤ赤道線ＣＬに対して略平行（０〜５度）で螺旋状に巻かれる直径０．２ｍｍのスチール単線を５本撚った周方向コードが用いられた。
【００８２】
実施例１７に係る空気入りタイヤでは、実施例１６の周方向コードをハイエロンゲーションタイプに置き換えた。このハイエロンゲーションタイプとは、最初に３本のスチール単線を撚って、その回りを逆向きで７本のスチール単線を螺旋で撚ったものである。最初に配置された３本のスチール単線には隙間が存在し、この隙間にゴム材が配置されている。このようなスチールコードは、直径が０．１４ｍｍであり、スチールコードにおける破断伸度が５％である。
【００８３】
実施例１８に係る空気入りタイヤでは、スパイラルベルト層を内側ベルト層のタイヤ径方向内側に配置した。
【００８４】
実施例１９に係る空気入りタイヤでは、内側コード及び外側コードをタイヤ赤道線ＣＬに対して５０度で設定した。
【００８５】
ここで、トレッド部の形状は、所定のリムに組み、内圧２３０ｋＰａを充填して、レーザーで計測した。この結果から、タイヤ赤道線ＣＬを中心にしてトレッド接地幅ＴＷに対する７０％の領域である７０％領域ＺＷでのトレッド外輪郭の曲率半径ＲＴを求めた。
【００８６】
また、ベルト層の形状は、予めタイヤ断面を用意して測定した。すなわち、７０％領域ＺＷにおいて、トレッド幅方向における幅が広い内側ベルト層又は外側ベルト層のベルト外輪郭の曲率半径ＲＢをあらゆる位置で測定しておき、これらとトレッド部表面の位置から作図し、内圧充填時におけるベルト外輪郭の曲率半径ＲＢを求めた。
【００８７】
さらに、平均厚さ（中央平均厚さＨＣや中間平均厚さＨＭ、端部平均厚さＨＳ）は、予めタイヤ断面を用意して測定した。すなわち、平均厚さは、各領域（トレッドセンター部Ｃやトレッドミドル部Ｍ、トレッドショルダー部Ｓ）をトレッド幅方向に５等分（溝を除く）し、各領域の最もタイヤ径方向外側に位置する骨格部材（例えば、外側ベルト層又はスパイラルベルト層、ベルト端部保護層）からトレッド部の表面までの厚みの平均値を求めた。
【００８８】
＜接地形状（接地面積及び接地長）＞
各空気入りタイヤをスポーツタイプのＦＦ車両に装着し、路面に埋め込まれた８００ｍｍ四方の平らなガラスの上をＣＡ０度、ＳＡ０度の状態で速度３０ｋｍ／ｈ及び１８０ｋｍ／ｈで走行し、この走行した際の画像を撮影することにより測定した。接地長は、トレッドセンター部Ｃ（すなわち、タイヤ赤道線ＣＬ）とトレッドショルダー部Ｓ（タイヤ赤道線ＣＬからトレッド接地幅の０．４倍の位置）で測定した。この接地長は、トレッドセンター部とトレッドショルダー部とで近い値であると、トレッドセンター部のトレッド部と、トレッドショルダー部のトレッド部とが、均一に横力や制動力を発生するために好ましい。
【００８９】
接地形状から接地面積を求めて、従来例１に係る空気入りタイヤの接地面積を“１００”として、その他の空気入りタイヤの接地面積を指数化した。なお、接地面積の指数が大きいほど、接地形状に優れている。
【００９０】
この結果、実施例１〜１９に係る空気入りタイヤは、比較例１〜１０及び従来例１，２に係る空気入りタイヤを比べ、適切な接地形状を保つことができることが分かった。すなわち、トレッド部の厚み（中央平均厚さＨＣや中間平均厚さＨＭ、端部平均厚さＨＳ）をコントロールすることや、内側コードの角度（α）、外側コードの角度（β）、ベルト交差幅ＩＷ、トレッド外輪郭の曲率半径ＲＴ、ベルト外輪郭の曲率半径ＲＢ等を規定することにより、適切な接地形状を保つことができることが分かった。
【００９１】
＜操縦安定性＞
各空気入りタイヤを上記ＦＦ車両に装着してテストコースを走行し、速度１５０ｋｍ／ｈでのレーンチェンジ、速度８０ｋｍ／ｈでの限界旋回、速度５０ｋｍ／ｈからの加速性能等を実施して、プロドライバーにより評価した（１０点満点）。なお、指数が大きいほど、操縦安定性に優れている。
【００９２】
この結果、実施例１〜１９に係る空気入りタイヤは、比較例１〜１０及び従来例１，２に係る空気入りタイヤを比べ、操縦安定性に優れていることが分かった。すなわち、トレッド部の厚み（中央平均厚さＨＣや中間平均厚さＨＭ、端部平均厚さＨＳ）をコントロールすることや、内側コードの角度（α）、外側コードの角度（β）、ベルト交差幅ＩＷ、トレッド外輪郭の曲率半径ＲＴ、ベルト外輪郭の曲率半径ＲＢ等を規定することにより、操縦安定性が向上することが分かった。
【００９３】
＜転がり抵抗＞
ＳＡＥ  Ｊ１２６９に準拠して、内圧２００ｋＰａ、荷重４５０ｋｇｆ、速度８０ｋｍ／ｈにおける従来例１に係る転がり抵抗を“１００”として、その他の空気入りタイヤの転がり抵抗を測定した。なお、指数が小さいほど、転がり抵抗に優れている。
【００９４】
この結果、実施例１〜１９に係る空気入りタイヤは、比較例１〜１０及び従来例１，２に係る空気入りタイヤを比べ、転がり抵抗に優れていることが分かった。すなわち、トレッド部の厚み（中央平均厚さＨＣや中間平均厚さＨＭ、端部平均厚さＨＳ）をコントロールすることや、内側コードの角度（α）、外側コードの角度（β）、ベルト交差幅ＩＷ、トレッド外輪郭の曲率半径ＲＴ、ベルト外輪郭の曲率半径ＲＢ等を規定することにより、転がり抵抗が向上することが分かった。
【００９５】
＜乗り心地性＞
各空気入りタイヤを上記ＦＦ車両に装着してテストコースを走行し、高速走行時のつなぎ目や石畳路、踏み切りの線路等を実施して、プロドライバーにより評価した（１０点満点）。なお、指数が大きいほど、乗り心地性に優れている。
【００９６】
この結果、実施例１〜１９に係る空気入りタイヤは、比較例１〜１０及び従来例１，２に係る空気入りタイヤを比べ、乗り心地性に優れていることが分かった。すなわち、トレッド部の厚み（中央平均厚さＨＣや中間平均厚さＨＭ、端部平均厚さＨＳ）をコントロールすることや、内側コードの角度（α）、外側コードの角度（β）、ベルト交差幅ＩＷ、トレッド外輪郭の曲率半径ＲＴ、ベルト外輪郭の曲率半径ＲＢ等を規定することにより、乗り心地性が向上することが分かった。
【００９７】
＜耐摩耗性＞
直径３ｍの試験ドラムの表面に紙やすりを貼り付けて路面にみたて、これに各空気入りタイヤを内圧２３０ｋＰａ、ＣＡ０度、ＳＡ０．５度、荷重５ｋＮで押し付け、駆動力０ｋＮで速度５０ｋｍ／ｈで１０分間回転させ、駆動力０ｋＮで速度１５０ｋｍ／ｈで１０分間回転させ、駆動力２ｋＮで速度５０ｋｍ／ｈで１０分間回転させる１サイクルを２０セット繰り返し、摩耗量を計測した。なお、指数が大きいほど、耐摩耗性に優れている。
【００９８】
この結果、実施例１〜１９に係る空気入りタイヤは、比較例１〜１０及び従来例１，２に係る空気入りタイヤを比べ、耐摩耗性に優れていることが分かった。すなわち、トレッド部の厚み（中央平均厚さＨＣや中間平均厚さＨＭ、端部平均厚さＨＳ）をコントロールすることや、内側コードの角度（α）、外側コードの角度（β）、ベルト交差幅ＩＷ、トレッド外輪郭の曲率半径ＲＴ、ベルト外輪郭の曲率半径ＲＢ等を規定することにより、耐摩耗性が向上することが分かった。
【００９９】
＜耐久性＞
直径３ｍの試験ドラムに各空気入りタイヤを装着し、内圧１８０ｋＰａ、荷重８ｋＮで押し付けて、速度１５０ｋｍ／ｈで１００時間連続走行させた後、各空気入りタイヤを解剖して亀裂の有無や、ベルト端部の温度を計測した。なお、解剖は、ベルト端部の両側で、かつ、３６０度全周について調べ、亀裂が最も長いものを表示した。また、ベルト端部の温度は、ドラムを停止してから１分後に、ベルト端部に相当するトレッド部の表面の温度を代用した。この温度が高いほど、亀裂が発生しやすくなる。
【０１００】
この結果、実施例１〜１９に係る空気入りタイヤは、比較例１〜１０及び従来例１，２に係る空気入りタイヤを比べ、耐久性に優れていることが分かった。すなわち、トレッド部の厚み（中央平均厚さＨＣや中間平均厚さＨＭ、端部平均厚さＨＳ）をコントロールすることや、内側コードの角度（α）、外側コードの角度（β）、ベルト交差幅ＩＷ−、トレッド外輪郭の曲率半径ＲＴ、ベルト外輪郭の曲率半径ＲＢ等を規定することにより、耐久性が向上することが分かった。
【図面の簡単な説明】
【０１０１】
【図１】第１の実施の形態に係る空気入りタイヤを示すトレッド幅方向断面図である。
【図２】第１の実施の形態に係る空気入りタイヤの一部を示す上面斜視図である。
【図３】第２の実施の形態に係る空気入りタイヤを示すトレッド幅方向断面図である。
【図４】その他の実施の形態に係る空気入りタイヤを示すトレッド幅方向断面図である。
【符号の説明】
【０１０２】
１…空気入りタイヤ、３…ビード部、５…カーカス層、７…内側ベルト層、７ａ…内側コード（内側スチールコード）、９…外側ベルト層、９ａ…外側コード（外側スチールコード）、１１…スパイラルベルト層、１１ａ…周方向コード、１３…ベルト端部保護層、１３ａ…端部コード、１５…トレッド部、１７…最外ベルト層、Ｃ…トレッドセンター部、Ｍ…トレッドミドル部、Ｓ…トレッドショルダー部、ＣＬ…タイヤ赤道線、ＩＷ…ベルト交差幅、ＯＷ…最外ベルト幅、ＲＢ…ベルト外輪郭の曲率半径、ＲＴ…トレッド外輪郭の曲率半径、ＴＷ…トレッド接地幅、ＺＷ…７０％領域
【図１】
0005184020.tif 000003
【図２】
0005184020.tif 000004
【図３】
0005184020.tif 000005
【図４】
0005184020.tif 000006